(57)【要約】  【課題】複数の電子機器を制御可能なリモートコントローラにおいて、操作性を向上させる。  【解決手段】複数のビデオ機器または複数のオーディオ機器から入力されるビデオ信号またはオーディオ信号を切り換えて出力するＡＶアンプに対するリモートコントローラは、所望の機器を指定する複数の第１の機器指定ボタンと、複数のビデオ機器またはオーディオ機器のうちのグループを指定する１つのグループ指定ボタンと、グループの中の１つの機器を指定する第２の機器指定ボタンと、ボタン操作の入力を受け付け、ボタン操作に応じた制御信号を生成する制御部とを備える。制御部は、直前に、第２の機器指定ボタンにより指定された機器を記憶し、グループ指定ボタンが操作された時に、記憶されている機器を選択する制御信号を生成するので、ボタン操作の回数を減らすことができる。【選択図】図５
2009118185.tif 000002
【特許請求の範囲】
【請求項１】
複数のビデオ機器または複数のオーディオ機器から入力される複数のビデオ信号または複数のオーディオ信号を切り換えて出力する機能を有する電子機器に対するリモートコントローラであって、
上記複数のビデオ機器または複数のオーディオ機器の中で所望の機器を指定する複数の第１の機器指定ボタンと、
上記複数のビデオ機器またはオーディオ機器のうちのグループを指定する１つのグループ指定ボタンと、
上記グループの中の１つの機器を指定する第２の機器指定ボタンと、
ボタン操作の入力を受け付け、上記ボタン操作に応じた制御信号を生成する制御部と、
上記制御信号を送信する送信部と、を備え、
上記制御部は、直前に、上記第２の機器指定ボタンにより指定された機器を記憶し、上記グループ指定ボタンが操作された時に、上記記憶されている機器を選択する制御信号を生成するリモートコントローラ。
【請求項２】
上記制御部は、上記第１の機器指定ボタンおよび上記グループ指定ボタンにより指定された機器およびグループに応じて、上記ボタン操作に応じて生成される制御信号を変化させる請求項１記載のリモートコントローラ。
【請求項３】
上記第１の機器指定ボタンおよび上記グループ指定ボタンのそれぞれは発光部を有し、
上記制御部は、上記第１の機器指定ボタンおよび上記グループ指定ボタンの操作に対応して上記発光部を点灯させると共に、上記第１の機器指定ボタンおよび上記グループ指定ボタン以外のボタンのボタン操作を受け付けた時に、現在指定されている機器に対応するボタンの上記発光部を点灯させる請求項１記載のリモートコントローラ。
【請求項４】
筐体の幅方向に上記第１の機器指定ボタンが配列され、上記第１の機器指定ボタンと異なる位置に上記第２の機器指定ボタンが上記幅方向に配列された請求項１記載のリモートコントローラ。
【発明の詳細な説明】
【技術分野】
【０００１】
この発明は、リモートコントローラに関し、詳しくは、複数のビデオ機器または複数のオーディオ機器から入力される複数のビデオ信号または複数のオーディオ信号を切り換えて出力する機能を有する電子機器に対するリモートコントローラに関する。
【背景技術】
【０００２】
近年、テレビジョン受像機、ビデオ記録／再生装置（具体的には、ＤＶＤ(Digital Versatile Disc)プレーヤ、ディスクレコーダ、ＶＣＲ(Video Cassette Recorder) ）、オーディオ記録／再生装置（具体的には、ＣＤ（Compact Disc）プレーヤ、ＭＤ（Mini Disc
）レコーダ、ＦＭ（Frequency Modulation）チューナ等）等のＡＶ（Audio Visual）機器を接続して使用する機会が増加している。これらの機器は、通常、それぞれの機器に専用のリモートコントローラによって遠隔制御を行うことが可能とされている。なお、リモートコントローラの用語は、送信機能を有するコマンダのみならず、電子機器に備えつけられた受信装置を含むリモートコントロールシステムの意味で使用される場合もあるが、ここでは、ユーザが操作する送信側の装置を意味するものとして使用している。
【０００３】
しかしながら、それぞれの機器に応じて、リモートコントローラをその都度使い分けるのは煩雑である。そこで、複数の機器に対応した制御コードを出力することが可能な、いわゆるプリプログラムコード対応のリモートコントローラを用いることで、複数のリモートコントローラの機能を１つにまとめることができる。
【０００４】
例えば、下記の特許文献１および特許文献２には、リモートコントローラの操作モードの切り換えを行い、その操作モードに応じた制御コードを出力することにより、１つのリモートコントローラでテレビジョン受像機およびその周辺機器を制御することが可能なリモートコントローラについて記載されている。
【０００５】
【特許文献１】特開２００５−１９８１１５号公報
【０００６】
【特許文献２】特開平８−２５６３８６号公報
【０００７】
最近では、ＡＶ(Audio Visual)機器の種類が増加しており、ホームシアターを構築するのに適したＡＶアンプが使用される。ＡＶアンプは、オーディオ機器用の信号の切り換え、映像機器用の信号の切り換えの機能を有している。このＡＶアンプのように外部機器を接続して使用することが前提の機器に使用されるリモートコントローラでは、その使い勝手を考慮して、複数の機器に応じて出力される制御コードの切り換えを行うことで、複数の機器の制御を行うことが望ましい。
【発明の開示】
【発明が解決しようとする課題】
【０００８】
ところで、ＡＶアンプの製品では、外部機器の入力可能な数を、価格に応じて変更することが多い。一方、リモートコントローラはプラスチック成型品であることが多く、１個当たり単価を下げるため、複数の機種で同一の金型を使用して作られることが多い。複数の機種で同一の金型を使用する場合、ボタンの数や配置、ボタン突起などの形状による設計上の制約が発生してしまうが、このような状況下でも、ＡＶアンプのモデルに応じて複数の機能を実現できるよう設計する必要がある。したがって、例えば、ＡＶアンプに接続される機器の入力の切り換えを行うときに、接続される機器が多い場合には複数のボタンを押下して切り替えを行う必要が生じてしまい、リモートコントローラの操作性が悪いという問題がある。
【０００９】
上述の特許文献１および特許文献２に記載のものは、既存のリモートコントローラの型において、接続されるＡＶ機器が増加したときに操作性が悪くなる点については何ら考慮されていない。
【００１０】
したがって、この発明の目的は、複数の機器の制御の操作性を向上させることが可能なリモートコントローラを提供することにある。
【課題を解決するための手段】
【００１１】
上述の課題を解決するために、この発明は、複数のビデオ機器または複数のオーディオ機器から入力される複数のビデオ信号または複数のオーディオ信号を切り換えて出力する機能を有する電子機器に対するリモートコントローラであって、
複数のビデオ機器または複数のオーディオ機器の中で所望の機器を指定する複数の第１の機器指定ボタンと、
複数のビデオ機器またはオーディオ機器のうちのグループを指定する１つのグループ指定ボタンと、
グループの中の１つの機器を指定する第２の機器指定ボタンと、
ボタン操作の入力を受け付け、ボタン操作に応じた制御信号を生成する制御部と、
制御信号を送信する送信部と、を備え、
制御部は、直前に、第２の機器指定ボタンにより指定された機器を記憶し、グループ指定ボタンが操作された時に、記憶されている機器を選択する制御信号を生成するリモートコントローラである。
【００１２】
この発明では、制御部は、第１の機器指定ボタンおよびグループ指定ボタンにより指定された機器およびグループに応じて、上記ボタン操作に応じて生成される制御信号を変化させることが好ましい。
【００１３】
また、この発明では、第１の機器指定ボタンおよびグループ指定ボタンのそれぞれは発光部を有し、制御部は、第１の機器指定ボタンおよびグループ指定ボタンの操作に対応して発光部を点灯させると共に、第１の機器指定ボタンおよびグループ指定ボタン以外のボタンのボタン操作を受け付けた時に、現在指定されている機器に対応するボタンの発光部を点灯させることが好ましい。
【００１４】
また、この発明では、筐体の幅方向に第１の機器指定ボタンが配列され、第１の機器指定ボタンと異なる位置に第２の機器指定ボタンが幅方向に配列されていることが好ましい。
【００１５】
この発明では、グループ指定ボタンを操作すると、直前に第２の機器指定ボタンにより指定された機器と同一の機器を指定することができるので、グループ指定ボタンによってグループ指定を行った後、第２の機器指定ボタンによってグループの中の機器を指定する必要がなくなり、ボタン操作の回数を減らすことができる。
【発明の効果】
【００１６】
この発明によれば、機器の指定においてボタン操作の回数を減らすことができるので、リモートコントローラの操作性を向上させることができる。
【発明を実施するための最良の形態】
【００１７】
以下、この発明の一実施の形態について図面を参照しながら説明する。なお、以下に説明する一実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１８】
まず、図１を参照して、この発明の一実施の形態によるリモートコントローラの主な構成について説明する。ここでは、入力Ａ、入力Ｂ、入力Ｃ、入力Ｄ、入力Ｅ、入力Ｆ、入力Ｇの切り換え機能を有するＡＶアンプ用のリモートコントローラを例に挙げて説明する。例えば、入力Ａにテレビジョン受像機、入力ＢにＤＶＤレコーダ、入力Ｃに有料のＣＳ（Communication Satellite ）放送の番組を視聴するためのチューナ（ＣＳチューナ）、入力Ｄにカセットテーププレーヤ、入力ＥにＭＤプレーヤ、入力ＦにＣＤプレーヤ、入力ＧにＦＭレシーバがそれぞれ接続される。入力Ｄ、入力Ｅ、入力Ｆ、入力Ｇにそれぞれ接続される機器はグループ（以下、オーディオグループと適宜称する）を構成し、これらは例えばＡＶアンプ内部のセレクタに接続される。
【００１９】
図１は、この発明の一実施の形態によるリモートコントローラのボタン配置図の一例を示す。ここで、ボタンは、リモートコントローラの筐体の表面に突起して設けられ、ボタンが押されると、筐体内部の設けられたスイッチがオンする構成とされている。スイッチのオン／オフの情報が制御部に供給される。図１に示すように、このリモートコントローラには、第１の機器指定ボタン１と、グループ指定ボタン２と、第２の機器指定ボタン３と、各種機能ボタン４が配置される。第１の機器指定ボタン１およびグループ指定ボタン２は幅方向に同じ列に配列され、第２の機器指定ボタン３は第１の機器指定ボタン１と異なる位置に配列される。
【００２０】
第１の機器指定ボタン１は、ボタン１ａ、ボタン１ｂ、ボタン１ｃにより構成される。ボタン１ａは、ＡＶアンプの入力を入力Ａに切り換える制御コードを出力し、入力Ａに接続されている機器（例えばテレビジョン受像機）を指定する。また、リモートコントローラの操作モードを入力Ａに対応するモードα（テレビジョン受像機モード）に切り換える。なお、操作モードの切り換えとは、各操作ボタンの操作に対応して出力される制御コードを操作モードに応じて切り換えることである。リモートコントローラの操作モードをモードαに切り換えることにより、リモートコントローラはテレビジョン受像機を遠隔操作することが可能となる。
【００２１】
ボタン１ｂは、ＡＶアンプの入力を入力Ｂに切り換える制御コードを出力し、入力Ｂに接続されている機器（例えばＤＶＤレコーダ）を指定する。また、リモートコントローラの操作モードを入力Ｂに対応するモードβ（ＤＶＤレコーダモード）に切り換える。リモートコントローラの操作モードをモードβに切り換えることにより、リモートコントローラはＤＶＤレコーダを遠隔操作することが可能となる。
【００２２】
ボタン１ｃは、ＡＶアンプの入力を入力Ｃに切り換える制御コードを出力し、入力Ｃに接続されている機器（例えばＣＳチューナ）を指定する。また、リモートコントローラの操作モードを入力Ｃに対応するモードγ（ＣＳチューナモード）に切り換える。リモートコントローラの操作モードをモードγに切り換えることにより、リモートコントローラはＣＳチューナを遠隔操作することが可能となる。
【００２３】
グループ指定ボタン２は、ＡＶアンプ内部のセレクタに接続されるオーディオグループを指定し、リモートコントローラの操作モードをモードδ（オーディオモード）に切り換える。リモートコントローラの操作モードをモードδに切り換えることにより、リモートコントローラはオーディオ機器を遠隔操作することが可能となる。
【００２４】
このグループ指定ボタン２は、以前にオーディオグループのうちセレクタによっていずれかのオーディオ機器の選択がなされた場合は、直前に指定されたオーディオ機器と同じオーディオ機器を選択する制御コードを出力する。すなわち、ＡＶアンプの入力を、オーディオグループのうち、直前に選択されたオーディオ機器と同じオーディオ機器に切り換える。
【００２５】
以前にオーディオ機器の選択がなされたことが無い場合は、例えば、オーディオグループのうち所定のオーディオ機器を選択する制御コードの出力を行うことができる。また、グループ指定ボタン２を押したときはリモートコントローラをモードδに切り換えるだけで、制御コードの出力を行わないようにしてもよい。
【００２６】
第１の機器指定ボタン１およびグループ指定ボタン２は、発光部が設けられた自照式のボタンにより構成される。これらのボタン自体が押されると、ボタン下部の発光体（ランプ等）が発光し、光透過性または光半透過性のボタンが発光する。さらに、第２の機器指定ボタン３および各種機能ボタン４のいずれかのボタンが押下されたとき、第１の機器指定ボタン１およびグループ指定ボタン２のうち、現在選択されている操作モードに対応するボタンに設けられた発光部が点灯する。これにより、ユーザは、リモートコントローラが現在どの操作モードで使用されているかを瞬時に把握することができる。発光動作は、短時間なされる。
【００２７】
第２の機器指定ボタン３は、ボタン３ａ、３ｂ、３ｃ、３ｄにより構成される。第２の機器指定ボタン３のそれぞれは、第１の機器指定ボタン１およびグループ指定ボタン２により選択されているリモートコントローラの操作モードに応じて、それぞれ異なる制御コードを出力する。なお、リモートコントローラの操作モードは、第１の機器指定ボタン１およびグループ指定ボタン２が押下されて別の操作モードに切り換えられるまで継続する。
【００２８】
ボタン３ａは、モードδにおいてＡＶアンプの入力を入力Ｄに切り換える制御コードを出力する。ボタン３ｂは、モードδにおいてＡＶアンプの入力を入力Ｅに切り換える制御コードを出力する。ボタン３ｃは、モードδにおいてＡＶアンプの入力を入力Ｆに切り換える制御コードを出力する。ボタン３ｄは、モードδにおいてＡＶアンプの入力を入力Ｇに切り換える制御コードを出力する。このように、オーディオグループを共通のモードδとし、モードδにおいてオーディオ機器の選択を行うことにより、既存のリモートコントローラのボタン数や配置を変更させることなく、複数のオーディオ機器の切り換えを行うことができる。
【００２９】
各種機能ボタン４は、例えば数字ボタン４ａ、４ｂ、４ｃ、４ｄにより構成される。機能ボタン４のそれぞれが押下されると、第１の機器指定ボタン１およびグループ指定ボタン２により選択されているリモートコントローラの操作モードに応じた制御コードが出力される。
【００３０】
次にこのリモートコントローラを用いてＡＶアンプの入力を切り換える動作について説明する。
【００３１】
入力Ａへの切り換えは、ボタン１ａを押下することによりなされる。すなわち、ボタン１ａを押下すると、ＡＶアンプの入力を入力Ａに接続されているテレビジョン受像機に切り換えるための制御コードが出力されると共に、リモートコントローラの操作モードがモードα（テレビジョン受像機モード）となる。
【００３２】
テレビジョン受像機モードでは、数字ボタン４ａを押した場合、テレビジョン受像機用の数字ボタン４ａの制御コードが出力され、数字ボタン４ｂを押した場合はテレビジョン受像機用の数字ボタン４ｂの制御コードが出力される。例えば数字ボタンに対応するチャンネルが選局される。
【００３３】
入力Ｂへの切り換えは、ボタン１ｂを押下することによりなされる。すなわち、ボタン１ｂを押下すると、ＡＶアンプの入力を入力Ｂに接続されているＤＶＤレコーダに切り換えるための制御コードが出力されると共に、リモートコントローラの操作モードがモードβ（ＤＶＤレコーダモード）となる。
【００３４】
ＤＶＤレコーダモードでは、数字ボタン４ａを押した場合、ＤＶＤレコーダ用の数字ボタン４ａの制御コードが出力され、数字ボタン４ｂを押した場合はＤＶＤレコーダ用の数字ボタン４ｂの制御コードが出力される。例えばＤＶＤの数字ボタンに対応する箇所が再生される。
【００３５】
同様に、入力Ｃへの切り換えは、ボタン１ｃを押下することによりなされる。すなわち、ボタン１ｃを押下すると、ＡＶアンプの入力を入力Ｃに接続されているＣＳチューナに切り換えるための制御コードが出力されると共に、リモートコントローラの操作モードがモードγ（ＣＳチューナモード）となる。
【００３６】
ＣＳチューナモードでは、数字ボタン４ａを押した場合、ＣＳチューナ用の数字ボタン４ａの制御コードが出力され、数字ボタン４ｂを押した場合はＣＳチューナ用の数字ボタン４ｂの制御コードが出力される。例えば数字ボタンに対応するチャンネルが選局される。
【００３７】
入力Ｄへの切り換えは、グループ指定ボタン２を押下した後、ボタン３ａを押下することによりなされる。すなわち、グループ指定ボタン２を押下してリモートコントローラの操作モードをモードδ（オーディオモード）に切り換えた後、ボタン３ａを押下してＡＶアンプの入力を入力Ｄに接続されているカセットテーププレーヤに切り換えるための制御コードを出力する。
【００３８】
同様に、入力Ｅへの切り換えは、グループ指定ボタン２を押下した後、ボタン３ｂを押下することによりなされる。入力Ｆへの切り換えは、グループ指定ボタン２を押下した後、ボタン３ｃを押下することによりなされる。入力Ｇへの切り換えは、グループ指定ボタン２を押下した後、ボタン２ｄを押下することによりなされる。
【００３９】
このように、入力Ｄ、入力Ｅ、入力Ｆ、入力Ｇへの切り換えは、入力Ａ、入力Ｂ、入力Ｃへの切り換えを行う場合に比べて、ボタンを押下する回数が増えてしまう問題が生じる。この発明の一実施の形態では、グループ指定ボタン２を押下したときに、ＡＶアンプの入力を、オーディオグループのうち直前に指定されたオーディオ機器と同じオーディオ機器に切り換える制御コードが出力されるので、ボタン操作の回数を少なくすることができる。
【００４０】
例えば、モードδの状態で、ボタン３ｃを押下してＡＶアンプの入力を入力Ｆに接続されているＣＤプレーヤに切り換えるための制御コードを出力する。その後、ボタン１ａを押下して、リモートコントローラの操作モードをモードαに切り換えると共にＡＶアンプを入力Ａのテレビジョン受像機に切り換えても、その後グループ指定ボタン２を押下するだけで、リモートコントローラの操作モードをモードδに切り換えると共に、ＡＶアンプの入力を入力ＦのＣＤプレーヤに切り換えることができる。したがって、ボタン操作の回数が減り、操作性を向上させることができる。特に、オーディオグループのうち特定のオーディオ機器に切り換えることが多いユーザにとって、操作の煩雑さを解消することができる。
【００４１】
次に、図２を参照して、このリモートコントローラにおいてグループ指定ボタン２が押下されたときの処理の流れについて説明する。図２に示す処理は、特別な記載がない限り、リモートコントローラ内の制御部の制御下で処理が行われるものとする。なお、制御部を含むリモートコントローラの内部構成については後述する。
【００４２】
まず、ステップＳ１において、ユーザによってグループ指定ボタン２が押下されると、ステップＳ２において、リモートコントローラの操作モードをモードδに変更する。
【００４３】
次に、ステップＳ３において、以前にモードδで第２の機器指定ボタン３のいずれかが押下されて、ＡＶアンプの入力をオーディオグループのうちのいずれかのオーディオ機器に切り換える制御コードが出力されたか否かが判断される。
【００４４】
ステップＳ３において以前にモードδで第２の機器指定ボタン３のいずれかが押下されていないと判断された場合は、処理がステップＳ４に移行する。ステップＳ４では所定の動作、例えばオーディオグループのうち予め設定している所定のオーディオ機器に切り換える制御コードを出力する動作を行う。また、リモートコントローラをモードδに切り換えるだけで、制御コードの出力は行わないようにしても良い。その場合は、ユーザが第２の機器指定ボタン３のいずれかのボタンを押下することによってＡＶアンプの入力が切り換えられる。
【００４５】
ステップＳ３において以前にモードδで第２の機器指定ボタン３のいずれかが押下されたと判断された場合は、処理がステップＳ５に移行する。ステップＳ５では、モードδにおいて、第２の機器指定ボタン３のうち直前に押されたボタンがボタン３ａであるか否かが判断される。
【００４６】
ステップＳ５において直前に押されたボタンがボタン３ａであると判断された場合は、処理がステップＳ６に移行し、ＡＶアンプを入力Ｄに切り換える制御コードを出力して処理が終了する。
【００４７】
一方、ステップＳ５において直前に押されたボタンがボタン３ａではないと判断された場合は、処理がステップＳ７に移行する。ステップＳ７では、モードδにおいて、第２の機器指定ボタン３のうち直前に押されたボタンはボタン３ｂであるか否かが判断される。
【００４８】
ステップＳ７において直前に押されたボタンがボタン３ｂであると判断された場合は、処理がステップＳ８に移行し、ＡＶアンプを入力Ｅに切り換える制御コードを出力して処理が終了する。
【００４９】
一方、ステップＳ７において直前に押されたボタンがボタン３ｂではないと判断された場合は、処理がステップＳ９に移行する。ステップＳ９では、モードδにおいて、第２の機器指定ボタン３のうち直前に押されたボタンはボタン３ｃであるか否かが判断される。
【００５０】
ステップＳ９において直前に押されたボタンがボタン３ｃであると判断された場合は、処理がステップＳ１０に移行し、ＡＶアンプを入力Ｆに切り換える制御コードを出力して処理が終了する。
【００５１】
一方、ステップＳ９において直前に押されたボタンがボタン３ｃではないと判断された場合は、処理がステップＳ１１に移行する。ステップＳ１１では、モードδにおいて、第２の機器指定ボタン３のうち直前に押されたボタンはボタン３ｄであるか否かが判断される。
【００５２】
次に、ステップＳ１２において、ＡＶアンプを入力Ｇに切り換える制御コードを出力して処理が終了する。
【００５３】
以下、この発明をＡＶアンプのリモートコントロールに対して適用した一実施の形態について具体的に説明する。ＡＶアンプとは、一般的に下記の機能を有するアンプ（増幅器）のことである。
【００５４】
・オーディオ信号用のプリメインアンプの機能（オーディオ機器用信号切り換え、音量、トーン、バランス調整などのプリアンプ機能、スピーカを駆動するメイン（パワー）アンプの機能）。
・映像機器用信号切り換え機能。
・Ｄ／Ａコンバータ、Ａ／Ｄコンバータの機能。
・デジタル信号処理機能（オーディオ圧縮フォーマットの復号等）。
・サブウーファーを含むマルチチャンネルのスピーカを駆動する機能。サブウーファーとは、低域を専門に受け持つスピーカのことであり、１００〜１５０Hz以下の低域周波数の成分の再生を受け持つ。
【００５５】
最近では、多種のＡＶ機器が市販され、ホームシアター等を構成する場合に、図３に示すように、多くのＡＶ機器とスピーカ装置１８とがＡＶアンプ１０に対して接続される。スピーカ装置１８は、複数のスピーカを含み、５．１チャンネル、または７．１チャンネルのサラウンド再生、フロントサラウンド再生が可能とされている。ＡＶアンプ１０は、上述した機能を実現するための回路が内蔵されている。図３では、この発明に関連する構成要素として、入力切り換え器としてのオーディオセレクタ１１が示されている。
【００５６】
ＡＶアンプ１０に対してテレビジョン受像機１２が接続され、ＡＶアンプ１０からテレビジョン受像機１２に対してＡＶ信号が供給される。ＡＶアンプ１０に対して映像機器としてディスクレコーダ１３、衛星放送チューナ１４、ＣＤプレーヤ１５、ＦＭレシーバ１６およびデジタルオーディオプレーヤ１７が接続されている。
【００５７】
ディスクレコーダ１３は、ＤＶＤレコーダ、ブルーレイディスク（ＢＤ）レコーダまたはＨＤ  ＤＶＤレコーダである。ディスクレコーダ１３により再生されたＡＶ信号がＡＶアンプ１０を介してテレビジョン受像機１２によって再生される。また、ＡＶアンプ１０に対して入力されるＡＶ信号をディスクレコーダ１３が記録できる。
【００５８】
衛星放送チューナ１４は、有料のＣＳ放送の番組を視聴するためのチューナである。ＣＤプレーヤ１５は、ＣＤを再生するプレーヤである。ＣＤに限らず、スーパーオーディオＣＤ（ＳＡＣＤ）、ＭＤ等の再生が可能なプレーヤでも良い。ＦＭレシーバ１６は、ＦＭ放送を受信するチューナである。デジタルオーディオプレーヤプレーヤ１７は、小型ハードディスク、フラッシュメモリ等を使用した携帯型のオーディオプレーヤである。
【００５９】
オーディオ機器であるＣＤプレーヤ１５、ＦＭレシーバ１６およびデジタルオーディオプレーヤ１７のそれぞれの出力オーディオ信号がＡＶアンプ１０内部のオーディオセレクタ１１によって選択されるようになされている。なお、ＦＭレシーバ１６を外付け機器とせずに、ＡＶアンプ１０の内部にＦＭチューナを持ち、ＡＶアンプ１０には、ＦＭアンテナを接続する構成も可能である。その場合でも、内蔵のＦＭチューナの出力がオーディオセレクタ１１によって選択可能とされている。
【００６０】
後述するように、この発明によるリモートコントローラ４０は、ＡＶアンプ１０と、ＡＶアンプ１０に接続された周辺機器（テレビジョン受像機１２、ディスクレコーダ１３、衛星放送チューナ１４、ＣＤプレーヤ１５、ＦＭレシーバ１６、デジタルオーディオプレーヤ１７）のリモートコントロールが可能とされている。なお、これらの周辺機器以外の他の機器例えばゲーム機器等をＡＶアンプ１０に対して接続することも可能である。
【００６１】
この発明を適用できるＡＶアンプ１０の一例について図４Ａおよび図４Ｂを参照して説明する。図４Ａに示すように、ＡＶアンプ１０の前面パネルには、リモートコントローラ受光部２１、表示部２２、入力切り換えボタン２３、プリセット選択ボタン２４、音量調整ボタン２５と、電源ボタン２６とが設けられている。
【００６２】
リモートコントローラ受光部２１は、リモートコントローラ４０が送信した赤外光信号を受光する。表示部２２は、選択している入力の種類の表示、ＡＶアンプ１０の動作モードの表示等を行う。入力切り換えボタン２３は、再生するソース（機器）を選択するために押される。プリセット選択ボタン２４は、予め登録されている放送局を切り換えるために押される。音量調整ボタン２５は、音量調整のために操作される。電源ボタン２６は、ＡＶアンプ１０の電源のオン／オフのために押される。
【００６３】
図４Ｂに示すように、ＡＶアンプ１０の背面パネルには、複数の端子が設置されている。２系統のＨＤＭＩ(High-Definition Multimedia Interface:商品名) 入力端子２７、２８と、１系統のＨＤＭＩ出力端子２９が設けられている。ＨＤＭＩでは、ビデオ・オーディオを非圧縮でディスク再生装置からテレビジョン受像機へ転送することができる。例えば一方のＨＤＭＩ入力端子２７と衛星放送チューナ１４との間がＨＤＭＩケーブルで接続可能であり、他方のＨＤＭＩ入力端子２８とディスクレコーダ１３との間がＨＤＭＩケーブルで接続可能である。
【００６４】
ＡＶアンプ１０の背面パネルにデジタルメディア（ＤＭ:Digital Media）ポート３０が備えられている。デジタルメディアポート３０に対してデジタルメディアポートアダプタを介して携帯型デジタルオーディオプレーヤ１７が接続され、デジタルオーディオプレーヤ１７の再生オーディオ信号がＡＶアンプ１０に供給される。図３においては、デジタルメディアポートアダプタの図示が省略されている。
【００６５】
ＡＶアンプ１０の背面パネルにアナログオーディオ信号の入力端子（例えばＲＣＡピン）３１、３２、３３が備えられている。各端子は、左右のオーディオ信号に対応する一対のＲＣＡピンを有しており、アナログオーディオケーブルでもって各機器のアナログオーディオ出力端子と接続される。アナログ入力端子３１に対してＦＭレシーバ１６の出力オーディオ信号が供給される。アナログ入力端子３２にライン入力例えばＣＤプレーヤ１５の再生オーディオ信号が供給される。ライン入力としては、ビデオデッキの再生オーディオ信号を供給しても良い。アナログ入力端子３３にテレビジョン受像機１２の出力オーディオ信号が供給される。
【００６６】
さらに、ＡＶアンプ１０には、デジタルオーディオ信号用のデジタル端子が設けられている。デジタル端子としては、同軸デジタル端子３５および３７と、光デジタル端子３４、３６、３８とが備えられている。
【００６７】
光デジタル端子３４とテレビジョン受像機１２の光デジタル端子との間が光デジタルケーブルで接続され、テレビジョン受像機１２のオーディオ信号出力がデジタルでＡＶアンプ１０に伝送される。
【００６８】
同軸デジタル端子３５または光デジタル端子３６と、衛星放送チューナ１４との間が同軸ケーブルまたは光デジタルケーブルを介して接続され、衛星放送チューナ１４の出力デジタル音声信号がＡＶアンプ１０に供給される。衛星放送チューナ１４の出力映像信号は、映像コードによって接続されたテレビジョン受像機１２対して供給される。
【００６９】
同軸デジタル端子３７または光デジタル端子３８と、ディスクレコーダ１３との間が同軸ケーブルまたは光デジタルケーブルを介して接続され、ディスクレコーダ１３の出力デジタル音声信号がＡＶアンプ１０に供給される。ディスクレコーダ１３の出力映像信号は、映像コードによって接続されたテレビジョン受像機１２対して供給される。
【００７０】
なお、入力信号としては、アナログ信号の形態、デジタル信号の形態があり、デジタル信号の形態でもＨＤＭＩ、光デジタル、同軸デジタルの形態がある。あるオーディオ信号に関して複数の入力端子が使用された場合には、予め定められた優先順位でもって、入力が選択される。すなわち、光デジタル→同軸デジタル→アナログの順序で選択の優先順位が定められている。
【００７１】
次に、ＡＶアンプ１０および複数のＡＶ機器を遠隔制御可能なリモートコントローラ４０について説明する。図５は、一実施の形態によるリモートコントローラ４０の構成の外観の一例を示す正面図である。図示するリモートコントローラ４０は、筐体の表面に設けられた複数の操作ボタンと、赤外線、電波等の送信信号を送信する送信部４１と、スライドにより開閉自在のシャッター４２とを備えている。図示はしないが、シャッター内部にも複数の操作ボタンが配置されている。
【００７２】
複数の操作ボタンは、例えば、電源オン／オフ用ボタン４３、第１の機器指定ボタン４４、グループ指定ボタンとしてオーディオボタン４５、第２の機器指定ボタン４６、ＡＶ電源ボタン４７、入力切り換えボタン４８、テレビジョン（ＴＶ）モード切り換えボタン４９、数字ボタン５０、アナログボタン５１、カラーボタン５２、方向ボタン５３、確定ボタン５４、機能ボタン５５、ＡＶ機器の再生・停止等の動作に使用する操作ボタン５６、ミュートボタン５７、音量調整ボタン５８、チャンネルボタン５９等によって構成される。
【００７３】
第１の機器指定ボタン４４は、テレビジョン（ＴＶ）ボタン４４ａ、ＢＤ／ＤＶＤボタン４４ｂ、衛星放送（ＳＡＴ）ボタン４４ｃにより構成される。第１の機器指定ボタン４４およびオーディオボタン４５は、筐体の幅方向に一列に配置されている。
【００７４】
第２の機器指定ボタン４６は、ＬＩＮＥ  ＩＮボタン４６ａ、ＦＭボタン４６ｂ、デジタルメディアポート（ＤＭＰＯＲＴ）ボタン４６ｃによって構成される。第２の機器指定ボタン４６は、第１の機器指定ボタン４４およびオーディオボタン４５とは異なる位置に配列されている。
【００７５】
このリモートコントローラ４０は、リモートコントローラの操作モードをテレビジョン（ＴＶ）モード、ＢＤ／ＤＶＤモード、ＳＡＴモード、オーディオモードに切り換え、操作モードに応じて各操作ボタンからそれぞれ異なる制御コードを出力することにより、ＡＶアンプ１０およびＡＶアンプ１０に接続される周辺機器を個別に制御することが可能とされている。
【００７６】
図６および下記の表１を参照して、リモートコントローラ４０の主な操作ボタンの機能について説明する。図６は、図５に示すリモートコントローラ４０の部分拡大図である。表１は、図６に示すリモートコントローラ４０の操作ボタンの制御コードの機能を、操作モードごとにまとめた表である。なお、表１中の記号「・」は特定の制御コードを有さず、リモートコントローラ４０から制御コードが出力されないことを意味する。
【００７７】
【表１】
2009118185.tif 000003
【００７８】
電源オン／オフ用ボタン４３は、ＡＶアンプ１０の電源のオン／オフを切り換えるボタンである。
【００７９】
テレビボタン４４ａは、ＡＶアンプ１０の入力をテレビジョン受像機１２に切り換える制御コードを出力する。また、リモートコントローラ４０の操作モードをＴＶモードに切り換える。ＴＶモードでは、テレビジョン受像機１２を遠隔制御することが可能となる。
【００８０】
ＢＤ／ＤＶＤボタン４４ｂは、ＡＶアンプ１０の入力をディスクレコーダ１３に切り換える制御コードを出力する。また、リモートコントローラ４０の操作モードをＢＤ／ＤＶＤモードに切り換える。ＢＤ／ＤＶＤモードでは、ディスクレコーダ１３を遠隔制御することが可能となる。
【００８１】
ＳＡＴボタン４４ｃは、ＡＶアンプ１０の入力を衛星放送チューナ１４に切り換える制御コードを出力する。また、リモートコントローラ４０の操作モードをＳＡＴモードに切り換える。ＳＡＴモードでは、衛星放送チューナ１４を遠隔制御することが可能となる。
【００８２】
オーディオボタン４５は、ＡＶアンプ１０の入力をオーディオセレクタ１１からの出力信号に切り換える。また、リモートコントローラ４０の操作モードをオーディオモードに切り換える。オーディオモードでは、オーディオ機器を遠隔制御することが可能となる。
【００８３】
また、オーディオボタン４５は、以前にオーディオセレクタ１１によってオーディオ機器であるＣＤプレーヤ１５、ＦＭレシーバ１６およびデジタルオーディオプレーヤ１７のいずれかが選択がされたことがある場合は、直前にオーディオセレクタ１１によって選択されたオーディオ機器と同じオーディオ機器に切り換える制御コードを出力する。
【００８４】
以前にオーディオセレクタ１１によってＣＤプレーヤ１５、ＦＭレシーバ１６およびデジタルオーディオプレーヤ１７のいずれかが選択されたことが無い場合は、例えば、ＣＤプレーヤ１５、ＦＭレシーバ１６およびデジタルオーディオプレーヤ１７のうち所定のオーディオ機器に切り換える制御コードを出力することができる。また、リモートコントローラ４０の操作モードをオーディオモードに切り換えるだけで、ＡＶアンプ１０に対して特定の制御コードを出力しない構成としても良い。
【００８５】
ここで、第１の機器指定ボタン４４およびオーディオボタン４６は、自照式のボタンによって構成される。自照式のボタンは、例えばシリコンラバー等の半透明の材料からなるボタンと、リモートコントローラ４０の筐体内部に設けられるチップＬＥＤ（Light Emitting Diode）等の発光部によって構成される。発光部は、第１の機器指定ボタン４４およびオーディオボタン４６の直下の位置にそれぞれ設けられ、発光部の点灯／消灯によって、第１の機器指定ボタン４４およびオーディオボタン４６の位置を点灯させる。リモートコントローラ４０の各種操作ボタン４６〜５８が押下された場合、第１の機器指定ボタン４４およびオーディオボタン４６のうち現在選択されている操作モードのボタンが押されてから短時間、点灯される。
【００８６】
ＬＩＮＥ  ＩＮボタン４６ａは、オーディオモードにおいて、オーディオセレクタ１１によって選択される入力を、ライン入力に入力されるＣＤプレーヤ１５に切り換える制御コードを出力する。また、ＬＩＮＥ  ＩＮボタン４６ａは、ＴＶモードおよびＢＤ／ＤＶＤモードでは、テレビジョン受像機１２あるいはディスクレコーダ１３を地上デジタル放送に切り換える制御コードを出力する。
【００８７】
ＦＭボタン４６ｂは、オーディオモードにおいて、オーディオセレクタ１１によって選択される入力を、ＦＭレシーバ１６に切り換える制御コードを出力する。また、ＦＭボタン４６ｂは、ＴＶモードおよびＢＤ／ＤＶＤモードでは、テレビジョン受像機１２あるいはディスクレコーダ１３をＢＳデジタル放送に切り換える制御コードを出力する。
【００８８】
ＤＭＰＯＲＴボタン４６ｃは、オーディオモードにおいて、オーディオセレクタ１１によって選択される入力を、ＤＭＰＯＲＴに入力されるデジタルオーディオプレーヤ１７に切り換える制御コードを出力する。また、ＤＭＰＯＲＴボタン４６ｃは、ＴＶモードおよびＢＤ／ＤＶＤモードでは、テレビジョン受像機１２あるいはディスクレコーダ１３をＣＳデジタル放送に切り換える制御コードを出力する。
【００８９】
ＡＶ電源ボタン４７は、ＴＶモード、ＢＤ／ＤＶＤモード、およびＳＡＴモードにおいて、指定された機器の電源のオン／オフを切り換える。すなわち、ＴＶモードではテレビジョン受像機１２の電源を切り換え、ＢＤ／ＤＶＤモードではディスクプレーヤ１３の電源を切り換え、ＳＡＴモードでは衛星放送チューナ１４の電源を切り換える。
【００９０】
入力切り換えボタン４８は、ＴＶモードおよびＢＤ／ＤＶＤモードにおいて、テレビジョン受像機１２あるいはディスクレコーダ１３の入力を切り換える。テレビモード切り換えボタン４９は、制御コード出力は行わないが、リモートコントローラ４０の操作モードをテレビモードに切り換える。これにより、リモートコントローラ４０をテレビジョン受像機１２のリモートコントローラとして使用することができる。なお、テレビモード切り換えボタン４９を押してから例えば６０秒間リモートコントローラ４０の操作がなされなかったり、テレビモード切り換えボタン４９が再度押下されたりしたときは、テレビモード切り換えボタン４９によって切り換えられたＴＶモードを解除することができる。
【００９１】
数字ボタン５０は、ＴＶモード、ＢＤ／ＤＶＤモード、およびＳＡＴモードにおいてチャンネルの入力や、オーディオモードにおいてトラックを直接入力するボタンである。アナログボタン５１は、ＴＶモード、ＢＤ／ＤＶＤモードにおいて、テレビジョン受像機１２あるいはディスクレコーダ１３を地上アナログ放送に切り換える。カラーボタンは、ＢＤ／ＤＶＤモードにおいて地上デジタル放送の操作に使用される。
【００９２】
図７を参照して、リモートコントローラ４０の内部の構成について説明する。図７に示すように、リモートコントローラ４０は、制御部６２を有し、この制御部６２に、操作入力部６１、メモリ６３、ＬＥＤ６４、および赤外線ＬＥＤ６５が接続されている。
【００９３】
操作入力部６１は、リモートコントローラ４０に設けられた複数の操作ボタンを示しており、入力操作があった場合にその操作ボタンに応じた入力信号が制御部６２に供給される。
【００９４】
制御部６２は、例えばＣＰＵ（Central Processing Unit ）などにより構成されるマイクロコンピュータである。制御部６２は、制御部６２に接続されるメモリ６３に記憶されているプログラムを実行することにより、リモートコントローラ４０の各部を統括的に制御する。
【００９５】
制御部６２に操作入力部から入力信号が供給されると、制御部６２はどの操作ボタンが押下されたかを検出し、現在選択されている操作モードに応じて、押下された操作ボタンの制御コードを生成する。生成された制御コードは変調されて、赤外線ＬＥＤ６５に供給される。
【００９６】
グループ指定ボタンであるオーディオボタン４５が押下されたときは、制御部６２は、メモリ６３に記憶されている、オーディオモードにおいて直前に指定されたオーディオ機器の読み出しを行い、記憶されているオーディオ機器と同じオーディオ機器を選択するための制御コードを生成する。また、リモートコントローラ４０の操作モードをオーディオモードに切り換える。メモリ６３にオーディオモードにおいて直前に指定されたオーディオ機器が記憶されていないときは、例えばオーディオ機器のうち所定のオーディオ機器を選択するための制御コードを生成する。リモートコントローラ４０の操作モードをオーディオモードに切り換えるだけで、制御コードの生成を行わなくても良い。
【００９７】
オーディオボタン４５が押下された後、第２の機器指定ボタン４６が押下されることにより新たにオーディオ機器の指定がなされた場合は、制御部６３は、新たに指定されたオーディオ機器を、直前に指定されたオーディオ機器としてメモリ６３に記憶させる。
【００９８】
また、制御部１９は、第１の機器指定ボタン４４およびオーディオボタン４５の位置に設けられたＬＥＤ６４の点灯／消灯を制御する。すなわち、操作入力部６１が押下されたとき、現在選択されている操作モードに対応する第１の機器指定ボタン４４およびオーディオボタン４５のＬＥＤ６４を点灯させる。
【００９９】
メモリ６３は、例えばＲＡＭ（Random Access Memory）等によって構成される。メモリ６３には、表１に示すような各操作モードに応じた操作ボタンの制御コードのデータ、オーディオモードにおいて直前に指定されたオーディオ機器のデータ、現在の操作モード等が記憶されており、制御部６２によって読み出し可能とされている。
【０１００】
ＬＥＤ６４は、制御部からの制御信号に応じて、点灯／消灯が切り換えられる。操作入力部６１を押下したときにＬＥＤが点灯されることによって、ユーザは現在のリモートコントローラ４０の操作モードを把握することができる。
【０１０１】
赤外線ＬＥＤ６５には制御部３から変調された制御コードが供給され、赤外線によるリモートコントローラ信号として出力される。
【０１０２】
次に、リモートコントローラ４０からの信号を受信するリモートコントローラ受信部の構成について、図８を参照して説明する。図８に示すように、このリモートコントローラ受信部は、受光部７１と、制御部７２と、機器制御部７３によって構成される。
【０１０３】
受光部７１は、例えばＡＶアンプ１０のリモートコントローラ受光部２１に対応するものであり、リモートコントローラ４０の赤外線ＬＥＤ６５から送信されたリモートコントローラ信号を受信する受光素子により構成される。
【０１０４】
受光部７１によって受信されたリモートコントローラ信号は、制御部７２に供給される。制御部７２は、例えばＣＰＵなどにより構成される。制御部７２は供給されたリモートコントローラ信号を増幅し、増幅されたリモートコントローラ信号を波形成形した後、解読復調を行う。解読復調されたリモートコントローラの制御コードは機器制御部７３に供給される。機器制御部７３は、供給されたリモートコントローラの制御コードに基づいて、機器の動作を制御する。
【０１０５】
以下、図３に示すようなＡＶアンプ１０を中心として構成されたＡＶシステムにおいて、リモートコントローラ４０を使用した制御について説明する。
【０１０６】
テレビジョン受像機１２の音声をＡＶアンプ１０に接続されたスピーカ装置１８によって聞く場合：テレビジョン受像機１２の電源をオンし、所望の番組を選択する。ＡＶアンプ１０の電源をオンする。リモートコントローラ４０のＴＶボタン４４ａを押す。スピーカ装置１８によって再生される音量を音量調整ボタン５８によって調整する。ＴＶボタン４４ａを押すことによって、リモートコントローラ４０をテレビジョン受像機１２のリモートコントローラとして使用することが可能となる。
【０１０７】
ディスクレコーダ１３でディスクを再生する場合：テレビジョン受像機１２の電源をオンする。ディスクレコーダ１３のＡＶアンプ１０の電源をオンする。リモートコントローラ４０のＢＤ／ＤＶＤボタン４４ｂを押す。テレビジョン受像機１２の入力を切り換える。ディスクレコーダ１３でディスクを再生する。これらの操作の結果、テレビジョン受像機１２の画面に再生映像が表示されると共に、スピーカ装置１８によって音声が再生される。ＢＤ／ＤＶＤボタン４４ｂを押すことによって、リモートコントローラ４０をディスクレコーダ１３のリモートコントローラとして使用することが可能となる。
【０１０８】
衛星放送チューナ１４の音声を聞く場合：テレビジョン受像機１２の電源をオンする。衛星放送チューナ１４とＡＶアンプ１０の電源をオンする。リモートコントローラ４０のＳＡＴボタン４４ｃを押す。テレビジョン受像機１２の入力を切り換える。スピーカ装置１８によって再生される音量を音量調整ボタン５８によって調整する。ＳＡＴボタン４４ｃを押すことによって、リモートコントローラ４０を衛星放送チューナ１４のリモートコントローラとして使用することが可能となる。
【０１０９】
オーディオセレクタ１１に対して接続された機器の音声を聞く場合：リモートコントローラ４０のオーディオボタン４５が押される。この操作によってオーディオセレクタ１１の出力オーディオ信号を聞くように、ＡＶアンプ１０が設定される。後述するように、オーディオセレクタ１１が直前に選択した機器と同一の機器を接続するように、リモートコントローラ４０からの制御コードがＡＶアンプ１０に対して送信される。
【０１１０】
一番最初にオーディオボタン４５が押される場合、あるいはユーザが機器を切り換える場合には、以下のような操作が行われる。
・ライン入力端子３２に接続されたＣＤプレーヤ１５の再生オーディオ信号を聞く場合：リモートコントローラ４０のオーディオボタン４５が押され、次にＬＩＮＥ  ＩＮボタン４６ａが押される。ＣＤプレーヤ１５の電源をオンする。ＣＤプレーヤ１５の出力オーディオ信号がオーディオセレクタ１１で選択されてスピーカ装置１８によって再生される。ＬＩＮＥ  ＩＮボタン４６ａを押すことによって、リモートコントローラ４０をＣＤプレーヤ１５のリモートコントローラとして使用することが可能となる。
【０１１１】
・ＦＭ入力端子３１に接続されたＦＭレシーバ１６の音声を聞く場合：リモートコントローラ４０のオーディオボタン４５が押され、次にＦＭボタン４６ｂが押される。ＦＭレシーバ１６の電源をオンする。ＦＭレシーバ１６の出力オーディオ信号がオーディオセレクタ１１で選択されてスピーカ装置１８によって再生される。ＦＭボタン４６を押すことによって、リモートコントローラ４０をＦＭレシーバ１６のリモートコントローラとして使用することが可能となる。
【０１１２】
・デジタルメディアポート３０に接続されたデジタルオーディオプレーヤ１７の再生オーディオ信号を聞く場合：リモートコントローラ４０のオーディオボタン４６が押され、次にＤＭＰＯＲＴボタン４６ｃが押される。デジタルオーディオプレーヤ１７の再生動作を開始する。デジタルオーディオプレーヤ１７の出力オーディオ信号がオーディオセレクタ１１で選択されてスピーカ装置１８によって再生される。ＤＭＰＯＲＴボタン４６を押すことによって、リモートコントローラ４０をデジタルオーディオプレーヤ１７のリモートコントローラとして使用することが可能となる。
【０１１３】
なお、ＡＶアンプ１０に対して接続される機器のメーカーが同一でない場合もありうる。この場合では、リモートコントローラ４０の所定のボタン操作によって、例えば取り扱い説明書の記載されている機器のメーカー番号に対応する数字ボタンを押すことによって、その機器をリモートコントロールすることが可能とされている。
【０１１４】
ここで、リモートコントローラ４０のオーディオボタン４５が押されると、リモートコントローラ４０の制御部６２によって図２に示すような処理が行われる。以前にオーディオセレクタ１１によってオーディオセレクタ１１に接続された機器の選択がなされた場合は、オーディオセレクタ１１が直前に選択した機器と同一の機器を接続するように、リモートコントローラ４０から制御コードが出力される。
【０１１５】
したがって、オーディオモードにおいて、直前に選択したオーディオ機器と同じオーディオ機器を選択する場合には、オーディオボタン４５を押下するだけで、リモートコントローラ４０の操作モードをオーディオモードに切り換えると共に、ＡＶアンプの入力をオーディオセレクタ１１に接続されるオーディオ機器のうち、直前に選択さえていたオーディオ機器に切り換えることができる。
【０１１６】
例えば、オーディオモードにおいてＣＤプレーヤ１５の再生オーディオ信号を聞いた後、リモートコントローラ４０のＴＶボタン４４ａを押下してＡＶアンプ１０の入力をテレビジョン受像機１２に切り換え、再びオーディオモードにおいてＣＤプレーヤ１５の再生オーディオ信号を聞く場合：リモートコントローラ４０のオーディオボタン４５が押される。オーディオボタン４５を押すことによって、リモートコントローラ４０をＣＤプレーヤ１５のリモートコントローラとして使用することが可能となる。ＣＤプレーヤ１５の電源をオンする。ＣＤプレーヤ１５の出力オーディオ信号がオーディオセレクタ１１で選択されてスピーカ装置１８によって再生される。この操作では、オーディオボタン４５を押下した後、ＬＩＮＥ  ＩＮボタン４６ａを押すことによってオーディオ機器の選択を行う必要がないため、ボタン操作の回数を減らすことができる。
【０１１７】
同様に、オーディオモードにおいてＭ入力端子３１に接続されたＦＭレシーバ１６あるいはデジタルメディアポート３０に接続されたデジタルオーディオプレーヤ１７のオーディオ信号を聞いた後、リモートコントローラ４０のＴＶボタン４４ａを押下してＡＶアンプ１０の入力をテレビジョン受像機１２に切り換え、再びオーディオモードにおいてＦＭレシーバ１６あるいはデジタルオーディオプレーヤ１７のオーディオ信号を聞く場合にも、オーディオボタン４５を押下するだけで、リモコン４０をオーディオモードに切り換えると共に、オーディオ機器の切り換えを行うことができる。
【０１１８】
以上、この発明の一実施の形態について具体的に説明したが、この発明は、上述の一実施の形態に限定されるものではなく、この発明の要旨を逸脱しない範囲内で様々な変形や応用が可能である。例えば直前に選択した入力をリモートコントローラのメモリに記憶せずに、ＡＶアンプの不揮発性メモリに記憶しておくようにしても良い。また、オーディオセレクタの代わりにビデオセレクタを使用し、ビデオ機器を選択するボタンとビデオセレクタにより選択される機器を指定するボタンとをリモートコントローラに設けるようにしても良い。また、この発明は、ＡＶアンプに限らず、ＡＶ信号の切り換えを行うＡＶコントローラのリモートコントローラに対しても適用することができる。さらに、リモートコントローラは、赤外線を使用したものに限らず、無線通信を行うものも使用することができる。
【図面の簡単な説明】
【０１１９】
【図１】この発明の一実施の形態によるリモートコントローラのボタン配置図の一例を示す概略図である。
【図２】この発明の一実施の形態によるリモートコントローラのグループ指定ボタンが押下されたときになされる出力処理の流れを示すフローチャートである。
【図３】この発明の一実施の形態によるリモートコントローラを適用することができるＡＶ機器およびその周辺機器の接続構成を示す概略図である。
【図４】この発明の一実施の形態によるＡＶアンプの構成の一例を示す概略図である。
【図５】この発明の一実施の形態によるリモートコントローラの一例を示す平面図である。
【図６】この発明の一実施の形態によるリモートコントローラの部分拡大図である。
【図７】この発明の一実施の形態によるリモートコントローラの内部の構造を示すブロック図である。
【図８】この発明の一実施の形態によるリモートコントローラの受信部の構成を示すブロック図である。
【符号の説明】
【０１２０】
１・・・第１の機器指定ボタン
２・・・グループ指定ボタン
３・・・第２の機器指定ボタン
４・・・操作ボタン
１０・・・ＡＶアンプ
１１・・・オーディオセレクタ
１２・・・テレビジョン受像機
１３・・・ディスクレコーダ
１４・・・衛星放送チューナ
１５・・・ＣＤプレーヤ
１６・・・ＦＭレシーバ
１７・・・デジタルオーディオプレーヤ
１８・・・スピーカ装置
２１・・・リモートコントローラ受光部
２１・・・表示部
２３・・・入力切り換えボタン
２４・・・プリセットボタン
４１・・・送信部
４２・・・シャッター
４４・・・第１の機器指定ボタン
４５・・・オーディオボタン
４６・・・第２の機器指定ボタン
【図１】
2009118185.tif 000004
【図２】
2009118185.tif 000005
【図３】
2009118185.tif 000006
【図４】
2009118185.tif 000007
【図５】
2009118185.tif 000008
【図６】
2009118185.tif 000009
【図７】
2009118185.tif 000010
【図８】
2009118185.tif 000011